(57)【要約】      （修正有）【課題】指の力の弱い子供や高齢者、無簧式管楽器の演奏に慣れていない初心者でも、楽に、演奏が行える管楽器の音孔用補助パッドを提供する。【解決手段】リコーダーや尺八その他の無簧式管楽器の音孔３５ａ〜３５ｇの上に貼り付けて使用する管楽器の音孔用補助パッド１００、２００であって、少なくとも音孔を覆える大きさを有し、中央に音孔と略同じ直径の開口を備える。【選択図】図１７
2016224079.tif 000002
【特許請求の範囲】
【請求項１】
無簧式管楽器の音孔の上に貼り付けて使用する管楽器の音孔用補助パッドであって、少なくとも前記音孔を覆う大きさを有し、前記音孔と略同じ直径を有する開口を備えたことを特徴とする管楽器の音孔用補助パッド。
【請求項２】
前記管楽器の音孔用補助パッドは、シリコン素材からなることを特徴とする請求項１に記載の管楽器の音孔用補助パッド。
【請求項３】
前記管楽器の音孔用補助パッドは、管楽器の音孔に貼り付けたときに管楽器の外周方向にあたる方向の長さが、前記音孔用補助パッドを管楽器の音孔に貼り付けたときに管楽器の長手方向にあたる方向の長さより、長くなっていることを特徴とする請求項１又は請求項２に記載の管楽器の音孔用補助パッド。
【請求項４】
前記音孔用補助パッドは、中央近傍に円形状の凹みが設けられ、前記円形状の凹みの中に前記開口が設けられていることを特徴とする請求項１から請求項４いずれか１つに記載の管楽器の音孔用補助パッド。
【請求項５】
前記音孔用補助パッドの上面であって、前記開口の縁近傍は、少なくとも一部が盛り上がって凸部を形成していることを特徴とする請求項１から請求項４いずれか１つに記載の管楽器の音孔用補助パッド。
【請求項６】
前記音孔用補助パッドの上面であって、前記開口の縁近傍は、外周に沿って盛り上がっていることを特徴とする請求項１から請求項５いずれか１つに記載の管楽器の音孔用補助パッド。
【請求項７】
前記音孔用補助パッドの下面であって、前記開口の縁近傍は、少なくとも一部に凸部が設けられていることを特徴とする請求項１から請求項６いずれか１つに記載の管楽器の音孔用補助パッド。
【請求項８】
前記音孔用補助パッドは、開口が設けられた部分近傍が、前記音孔用補助パッドの外周縁よりも低く、中央が凹んだ形状であることを特徴とする請求項１から請求項７いずれか１つに記載の管楽器の音孔用補助パッド。
【発明の詳細な説明】
【技術分野】
【０００１】
この発明は、リコーダー等の無簧式管楽器を演奏する際に使用する管楽器の音孔用補助パッドであって、管楽器の音孔の上に貼付して使用することにより、指が細かったり、指の力が弱い子供や高齢者、管楽器に慣れていない初心者でも、管楽器の音孔が押さえやすく演奏を容易に行うことができるようになる管楽器の音孔用補助パッドに関する。
【背景技術】
【０００２】
リコーダー等の無簧式管楽器の演奏には、音孔をしっかり指で塞ぐことが必要となるが、指が細く、指の力も弱い子供や高齢者、また、演奏に慣れていない初心者にとっては、隙間なく、しっかりと音孔を塞ぐことは、難しいものである。そこで、特許文献１のような、管楽器の音孔に貼って使用するリング形状の音孔形成用パッドが考案されている。しかし、特許文献１のパッドは、細い枠のドーナツ形状であり、管楽器の音孔に貼付すると、指を塞ぎやすくはなるが、演奏の際、何度も指で音孔を塞いだり指を音孔から離したりを繰り返すと、指に音孔形成用パッドが張り付いて、管楽器から音孔形成用パッドがはがれてしまうことがあった。また、音孔形成用パッドの細いリング部は、何度も繰り返し使ううち、擦り切れて破れたり、位置ズレするという問題もあった。
【０００３】
さらに、特許文献１のパッドは、リコーダーの音孔のうち、最下部と下から二番目の音孔、すなわち、円形の凹部が設けられた中に２つの孔が設けられた最下部と下から二番目の音孔には貼付できない。リコーダーの最下部と下から二番目の音孔は、２つ孔となっていて、他の音孔より塞ぐのが難しく、演奏の際、小指と薬指という他の指と比較して力が弱く細い指で演奏する必要がある。これら最下部と下から二番目の音孔に使用し、楽に音孔を塞ぐことができるパッドは、これまで、なかった。
【特許文献１】特開２０１３−２１３９５２号公報
【発明の概要】
【発明が解決しようとする課題】
【０００４】
そこで、本発明は、上記事情の鑑み、指が細く、指の力も弱い子供や高齢者、また、演奏に慣れていない初心者でも、楽に、しっかりと音孔を塞ぐことができ、管楽器にしっかりと貼り付けることができて剥がれにくい管楽器の音孔用補助パッド、さらに、リコーダーの最下部と下から二番目の音孔にも貼ることができる管楽器の音孔用補助パッドを提供することにある。
【課題を解決するための手段】
【０００５】
本発明の管楽器の音孔用補助パッドは、少なくとも前記音孔を覆う大きさを有し、前記音孔と略同じ直径を有する開口を備えたことを特徴とする。
【０００６】
この発明によれば、管楽器の音孔を覆う充分な大きさを備えたパッドが、管楽器にしっかりと貼りついて固定されるので、指で音孔を塞いだり、指を音孔から離したりという動作を繰り返し行っても、管楽器の音孔用補助パッドが管楽器にしっかりと貼り付いて、はがれにくく、また、位置ズレしにくい。
【０００７】
また、この発明の管楽器の音孔用補助パッドは、シリコン素材からなることを特徴とする。
【０００８】
この発明によれば、シリコン素材の管楽器の音孔用補助パッドが、管楽器にしっかりと貼りついて固定されるので、指で音孔を塞いだり、指を音孔から離したりという動作を繰り返し行っても、管楽器の音孔用補助パッドが、はがれにくく、位置ズレもしにくい。また、シリコン素材は、耐久性があり、汗や皮脂がついても、拭き取るだけで清潔を保てるため、繰り返し使えて、経済的である。さらに、シリコン素材は、適度な弾力性があるので、指で上から押さえることによって、パッドが変形し指と管楽器の間に密着し広がって空気漏れを防ぐので、管楽器の演奏を、楽に、的確に、行うことができる。
【０００９】
また、この発明の管楽器の音孔用補助パッドは、前記管楽器の音孔用補助パッドを管楽器の音孔に貼り付けたときに管楽器の外周方向にあたる方向の長さが、前記音孔用補助パッドを管楽器の音孔に貼り付けたときに管楽器の長手方向にあたる方向の長さより、長くなっていることを特徴とする。
【００１０】
この発明によれば、管楽器の外周方向に長くなっているシリコン素材の管楽器の音孔用補助パッドが、管楽器の外周に沿って、しっかりと貼りつくので、管楽器の音孔用補助パッドが、はがれにくく、位置ズレもしにくい。指で音孔を塞いだり、指を音孔から離したりという動作を、安心して繰り返し行うことができ、安定した演奏を長時間行うことができる。
【００１１】
また、この発明の管楽器の音孔用補助パッドは、中央近傍に円形状の凹みが設けられ、前記円形状の凹みの中に前記開口が設けられていることを特徴とする。
【００１２】
この発明によれば、リコーダーの音孔のうち、下部にあるダブルホールの音孔にも、貼付することができる。ダブルホールの音孔近傍は、円形状の凹みが設けられている。音孔用補助パッドの中央近傍が薄くなっていることで、その部分は伸縮しやすく、指でダブルホールの音孔を押さえる際に、音孔用補助パッドがうまくダブルホールの音孔にフィットする。したがって、管楽器の音孔用補助パッドが、はがれにくく、位置ズレしにくい。指で音孔を塞いだり、指を音孔から離したりという動作を、安心して繰り返し行うことができ、安定した演奏を長時間行うことができる。
【００１３】
また、この発明の管楽器の音孔用補助パッドの上面であって、前記開口の縁近傍は、少なくとも一部が盛り上がって凸部を形成していることを特徴とする。
【００１４】
この発明によれば、管楽器の音孔用補助パッドの上面の開口の縁近傍の厚みが厚くなっているため、指で、管楽器の音孔用補助パッドを押さえた際に、厚い部分が圧迫されて柔らかく変形し、指と管楽器の間の空気漏れをなくすため、指が細かったり、指の力が弱くても、音孔を的確に塞ぐことができ、楽に、安定した音を出すことができる。開口縁のうち、指先があたる側の縁が盛り上がっていることで、指が短く、指の力が弱くても、空気漏れせず、音孔を塞ぐことができるので、演奏を容易に行うことができる。
【００１５】
また、この発明の管楽器の音孔用補助パッドの上面であって、前記開口の縁近傍は、外周に沿って盛り上がっていることを特徴とする。
【００１６】
この発明によれば、管楽器の音孔用補助パッドの上面の開口の縁近傍の厚みが厚くなっているため、指で、管楽器の音孔用補助パッドを押さえた際に、厚い部分が圧迫されて柔らかく変形し、指と管楽器の間の空気漏れをなくすため、指が細かったり、指の力が弱くても、音孔を的確に塞ぐことができ、楽に、安定した音を出すことができる。
【００１７】
また、この発明の管楽器の音孔用補助パッドの下面であって、前記開口の縁近傍には、少なくとも一部に凸部が設けられていることを特徴とする。
【００１８】
この発明によれば、管楽器の音孔用補助パッド下面の開口の縁近傍の厚みが厚くなっているため、リコーダーの最下部と下から二番目の位置にある音孔にも貼付し使用することができる。リコーダーの最下部または下から二番目の音孔に管楽器の音孔用補助パッドを貼り付けたうえ、指で、該音孔を押さえると、パッド下面の開口近傍に設けられた凸部が、管楽器に密着し、指と管楽器の間の空気の漏れをなくすため、指が細かったり、指の力が弱くても、音孔を的確に塞ぐことができ、楽に、安定した音を出すことができる。管楽器の音孔用パッドの外周部分は、管楽器にしっかりと貼り付いて固定され、管楽器の音孔用補助パッドの中央部分は、最下部又は下から二番目の位置にある音孔の窪みとの間隙に隙間を生じるところ、演奏の際は、指で上から押さえることによって、パッドの中央部分が柔らかく凹み、下面に設けられた凸部が変形し音孔の窪みに密着して、空気の漏れをなくす仕組みとなっている。
【００１９】
また、この発明の管楽器の音孔用補助パッドは、開口が設けられた部分近傍が、前記音孔用補助パッドの外周縁よりも低く、中央が凹んだ形状であることを特徴とする。
【００２０】
この発明によれば、管楽器の音孔用補助パッド下面の開口の縁近傍の厚みが厚くなっているため、リコーダーの最下部と下から二番目の位置にある音孔にも貼付し使用することができる。リコーダーの最下部または下から二番目の音孔に管楽器の音孔用補助パッドを貼り付けたうえ、指で、該音孔を押さえると、パッド下面の開口近傍に設けられた凸部が、管楽器に密着し、指と管楽器の間の空気の漏れをなくすため、指が細かったり、指の力が弱くても、音孔を的確に塞ぐことができ、楽に、安定した音を出すことができる。管楽器の音孔用パッドの外周部分は、管楽器にしっかりと貼り付いて固定され、管楽器の音孔用補助パッドの中央部分は、最下部又は下から二番目の位置にある音孔の窪みとの間隙に隙間を生じるところ、演奏の際は、指で上から押さえることによって、パッドの中央部分が柔らかく凹み、音孔の窪みに密着して、空気の漏れをなくす仕組みとなっている。
【図面の簡単な説明】
【００２１】
【図１】この発明の実施形態１にかかるリコーダー用補助パッド１００の斜視図である。
【図２】図１に示した管楽器の音孔用補助パッド１００の平面図である。
【図３】図２に示した管楽器の音孔用補助パッド１００の正面図である。
【図４】図２に示した管楽器の音孔用補助パッド１００のＡ−Ａ断面図である。
【図５】図２に示した管楽器の音孔用補助パッド１００の右側面図である。
【図６】図２に示した管楽器の音孔用補助パッド１００のＢ−Ｂ断面図である。
【図７】図２に示した管楽器の音孔用補助パッド１００の底面図である。
【図８】図１に示した管楽器の音孔用補助パッド１００をリコーダーの音孔に装着した状態を示す参考図である。
【図９】図１に示した管楽器の音孔用補助パッド１００をリコーダーに装着した状態を示す参考図である。
【図１０】（ａ）は、図９に示した参考図のＣ部拡大図であり、（ｂ）は参考断面図である。
【図１１】この発明の実施形態２にかかる管楽器の音孔用補助パッド２００の斜視図である。
【図１２】図１１に示した管楽器の音孔用補助パッド２００の平面図である。
【図１３】図１２に示した管楽器の音孔用補助パッド２００のＤ−Ｄ断面図である。
【図１４】図１２に示した管楽器の音孔用補助パッド２００のＥ−Ｅ断面図である。
【図１５】図１２に示した管楽器の音孔用補助パッド２００のＦ−Ｆ断面図である。
【図１６】図１２に示した管楽器の音孔用補助パッド２００のＧ−Ｇ断面図である。
【図１７】管楽器の音孔用補助パッド１００及び２００をリコーダーに装着した状態を示す参考図である。
【図１８】管楽器の音孔用補助パッド１００及び２００をリコーダーに装着した状態を示す参考図である。
【図１９】図１８に示した参考図のＨ部拡大図であり、（ｂ）は、参考断面図、（ｃ）は、音孔を指で押さえた状態での参考断面図である。
【図２０】この発明の実施形態３にかかる管楽器の音孔用補助パッド３００の斜視図である。
【図２１】図２０に示した管楽器の音孔用補助パッド３００の平面図である。
【図２２】図２０に示した管楽器の音孔用補助パッド３００の正面図である。
【図２３】図２１に示した管楽器の音孔用補助パッド３００のＪ−Ｊ断面図である。
【図２４】図２１に示した管楽器の音孔用補助パッド３００の右側面図である。
【図２５】図２１に示した管楽器の音孔用補助パッド３００のＫ−Ｋ断面図である。
【図２６】図２１に示した管楽器の音孔用補助パッド３００の底面図である。
【図２７】管楽器の音孔用補助パッド３００をリコーダーの音孔に装着した状態を示す参考図である。
【図２８】管楽器の音孔用補助パッド３００をリコーダーに装着した状態を示す参考図である。
【図２９】（ａ）は、図２８に示した参考図のＬ部拡大図であり、（ｂ）は参考断面図である。
【図３０】この発明の実施形態４にかかる管楽器の音孔用補助パッド４００の斜視図である。
【図３１】図３０に示した管楽器の音孔用補助パッド４００の平面図である。
【図３２】図３１に示した管楽器の音孔用補助パッド４００のＭ−Ｍ断面図である。
【図３３】図３１に示した管楽器の音孔用補助パッド４００のＮ−Ｎ断面図である。
【図３４】図３１に示した管楽器の音孔用補助パッド４００のＯ−Ｏ断面図である。
【図３５】図３１に示した管楽器の音孔用補助パッド４００のＰ−Ｐ断面図である。
【図３６】図３１に示した管楽器の音孔用補助パッド４００の底面図である。
【図３７】管楽器の音孔用補助パッド３００及び４００をリコーダーに装着した状態を示す参考図である。
【図３８】管楽器の音孔用補助パッド３００及び４００をリコーダーに装着した状態を示す参考図である。
【図３９】（ａ）は図３８に示した参考図のＱ部拡大図であり、（ｂ）は、参考断面図、（ｃ）は、音孔を指で押さえた状態での参考断面図である。
【図４０】この発明の実施形態５にかかる管楽器の音孔用補助パッド５００の斜視図である。
【図４１】図４０に示した管楽器の音孔用補助パッド５００の正面図である。
【図４２】図４０に示した管楽器の音孔用補助パッド５００の平面図である。
【図４３】図４０に示した管楽器の音孔用補助パッド５００をリコーダーの音孔に装着し使用する方法を説明する参考図である。
【図４４】図４３に示した参考図のＲ−Ｒ断面図である。
【発明を実施するための形態】
【００２２】
以下、本発明を実施するための最良の形態について、実施の形態毎に説明する。
【００２３】
（実施の形態１）
図１は、この発明の実施形態１にかかる管楽器の音孔用補助パッド１００の斜視図である。図２は、図１に示した管楽器の音孔用補助パッド１００の平面図である。図３は、図１に示した管楽器の音孔用補助パッド１００の正面図である。図４は、図２に示した管楽器の音孔用補助パッド１００のＡ−Ａ断面図である。図５は、図２に示した管楽器の音孔用補助パッド１００の右側面図である。図６は、図２に示した管楽器の音孔用補助パッド１００のＢ−Ｂ断面図である。図７は、図２に示した管楽器の音孔用補助パッド１００の底面図である。
【００２４】
図１に示すように、この管楽器の音孔用補助パッド１００は、楕円形のシリコンパッド２と、シリコンパッド２の中央に設けられた孔である開口１を主に有する。シリコンパッド２はシート状のシリコン素材からなる。開口１の直径は、管楽器の音孔の直径と略同じである。開口１の直径は音孔の直径と同じ直径のものが最適であるが、音孔に対し１ミリメートルから数ミリメートル大きいものを用いても良い。音孔の直径は、楽器によって、また、音孔の位置によって少しずつ違うので、様々な直径の開口１を備えた管楽器の音孔用補助パッド１００を準備しておき、最適のサイズのものを選択できるようにしておくと良い。
【００２５】
図２に示すように、シリコンパッド２の形状は横長の楕円形状であって、シリコンパッド２の長手方向は、開口１の直径の長さよりも長くなっている。シリコンパッド２の長手方向の長さは、管楽器の外周に沿って貼付されるので、短すぎると、シリコンパッド２が管楽器から剥がれやすくなる。シリコンパッド２の長手方向の長さは、開口１の直径の２倍から６倍の長さが適しており、約４倍から５倍程度の長さが最も適している。
【００２６】
図３に示すように、管楽器の音孔用補助パッド１００は、薄いシート状のシリコン素材からなる。管楽器の音孔用補助パッド１００の厚みは、０．５ミリメートルから５ミリメートルの間が良く、最適な厚みは１ミリメートルから３ミリメートルである。薄すぎると、破れやすかったり、指で音孔を押さえる際に、指と音孔の間に空気漏れが生じたりして、安定した音程や綺麗な音質を確保できない。厚すぎても、演奏中に違和感を生じたり、音程に影響が出るので、指の細さや力の弱さをサポートし得る、程よい厚みのものを、個々の好みと使用する楽器に合わせて選択すると良い。
【００２７】
図４に示すように、管楽器の音孔用補助パッド１００の中央には、管楽器の音孔の直径と略同じ直径の孔である開口１が設けられている。管楽器の音孔用補助パッド１００は、両端にいくほど薄くなっており、開口１の周辺は、両端に比べて厚くなっている。両端にいくほど薄くなっているのは、中部管３３に貼りつけたときに、中部管３３の円形の外周にフィットして貼りつきやすくするためであり、指等にひっかかって、端から剥がれてくるのを予防するためでもある。
【００２８】
図５に示すように、管楽器の音孔用補助パッド１００は、側面視、薄いシート形状となっており、厚みは上端から下端まで、略均一の厚みである。管楽器の音孔用補助パッド１００は、横長の楕円形状である。上下に隣接する音孔に貼る管楽器の音孔用補助パッド１００と互いに干渉しあわないよう、縦方向は短くなっている。
【００２９】
図６に示すように、管楽器の音孔用補助パッド１００の中央には、管楽器の音孔と略同じ直径の孔である開口１が設けられている。実施例１の管楽器の音孔用補助パッド１００では、パッドの上端、開口１の近傍及びパッドの下端すべて同じ厚みとなっている。また、管楽器の音孔用補助パッド１００の上面は、シボ河加工されている。管楽器の音孔用補助パッド１００をリコーダーに貼付して演奏する際、指で押さえたり離したりという動作を繰り返すことになるが、管楽器の音孔用補助パッド１００の上面がシボ加工されていることで、指の汗や皮脂で指がすべることを予防できる。また、管楽器の音孔用補助パッド１００は、薄いシート形状のシリコン素材であるが、上面がシボ加工されていることで、製造の際、型から外しやすいというメリットもある。
【００３０】
図７に示すように、管楽器の音孔用補助パッド１００の底面は、管楽器の滑らかな表面にぴったり貼りつくよう、シリコンパッド２の底面は鏡面加工され滑らかになっている。管楽器の音孔用補助パッド１００は、粘着剤やテープ等を使用することなく、指で押圧するだけで中部管３３にしっかりと貼りつけることができ、繰り返し使えて、経済的である。また、粘着剤やテープが中部管３３に残ることがないので楽器を傷つけることもない。
【００３１】
次に、図８から図１０を示しながら、実施例１の管楽器の音孔用補助パッド１００の使用方法について説明する。
【００３２】
図８は、図１に示した管楽器の音孔用補助パッド１００をリコーダーに装着した状態を示す参考図である。図９は、図１に示した管楽器の音孔用補助パッド１００をリコーダーに装着した状態を示す参考図である。図１０は、（ａ）は、図９に示した参考図のＣ部拡大図であり、図１０（ｂ）は、図９の参考断面図である。
【００３３】
図８に示すように、リコーダーは、リードを使用せずに音を鳴らす無簧式（ノンリード）の縦笛式の管楽器であり、最上部に唄口３１、その下部に頭部管３２、中部管３３及び足部管３４が設けられている。中空の管体である中部管３３には、長手方向に、略一直線上に複数孔が設けられ、音孔３５ａ〜３５ｇとなっている。音孔３５ａから３５ｇは、中部管３３の表面から内外に亘って貫通した孔である。最下部の音孔３５ｇ及び下から二番目の位置にある音孔３５ｆは、中部管３３の表面に逆ドーム形状の窪みを形成し、窪みの中に２つの孔が設けられたダブルホールの形態となっている。
【００３４】
リコーダーは、音孔３５ａから３５ｇを指で塞ぐことによって音を出すが、正確な音程で綺麗な音を出すには、音孔にしっかりと指を密着させ音孔と指との間に隙間ができないようにすることが必要である。しかし、指が細かったり、押さえる力が弱い子供や高齢者、また、演奏に不慣れな初心者は、空気漏れしないよう、しっかりと音孔を指で塞ぐことが難しいものである。
【００３５】
そこで、本発明の管楽器の音孔用補助パッド１００を音孔３５ａから３５ｅに貼付すると、指が細かったり、指の力が弱くても、確実に、空気漏れなく音孔を塞ぐことができ、容易に、安定した音程と音質を得ることができる。
【００３６】
管楽器の音孔用補助パッド１００の使用方法について、まず最初に、リコーダーの中部管３３に設けられた音孔３５ａから３５ｅに、それぞれサイズのあった管楽器の音孔用補助パッド１００を、音孔の数と同じ枚数分、準備する。サイズのあわせかたについて、音孔の直径と略同じ直径の開口１が設けられている管楽器の音孔用補助パッド１００を選ぶと良い。音孔の大きさは、楽器によって、また、音孔の位置によって、すこしずつ違うので、管楽器の音孔用補助パッド１００は、様々なサイズのものを用意しておき、適時、サイズのあったものを選択し使用するようにすると良い。
【００３７】
それから、図９に示すように、音孔の直径と略同じ直径の開口１を備えた管楽器の音孔用補助パッド１００を、音孔と開口１がぴったりとあわさるようにして中部管３３に貼り付ける。管楽器の音孔用補助パッド１００の両端は、中部管３３の側面まで達するので、管楽器の音孔用補助パッド１００を、しっかりと中部管３３の外周に沿って貼りつけるように、指で上から押さえて、しっかりと中部管３３に密着させる。管楽器の音孔用補助パッド１００はシリコン素材で、底面が滑らかな鏡面加工となっているので、中部管３３の滑らかな表面に載置し上から指で圧着することによって、ぴったりと貼りつけ固定することができる。
【００３８】
音孔３５ａから３５ｅまで、それぞれ、管楽器の音孔用補助パッド１００を貼り付けたら、あとは、リコーダーを通常どおりの持ち方で支え、指で所定の音孔を塞いで音程をつけて演奏する。指で管楽器の音孔用補助パッド１００の上から音孔を塞ぐように押圧すると、弾力性のあるシリコン素材からなる管楽器の音孔用補助パッド１００は、押圧によって、柔らかく潰れるように変形し、指と音孔との間隙の隙間を塞いで空気の漏れを防ぐので、リコーダーから、安定した音程と音質を得ることができる。
【００３９】
また、リコーダーを演奏する際、管楽器の音孔用補助パッド１００を貼り付けない状態で指を音孔に押圧する動作を行うと、空気漏れを生じないよう、しっかりと音孔を塞がなければならず、強く指を押し付ける必要がある。中部管３３は、硬質の素材からなるため、長時間、指を強く音孔に押し付ける動作を繰り返していると指が痛くなる。そのため、子供の場合、練習を嫌がるようになったり、リコーダーの演奏に対して苦手意識が生じてしまうことも多い。管楽器の音孔用補助パッド１００を使用して演奏するようにすれば、指が直接音孔に触れず、管楽器の音孔用補助パッドの柔らかいシリコン素材に触れるので、指が痛くなることがなく、練習に苦痛が伴わない。子供も練習を嫌がらず、容易に演奏できるようになる。
【００４０】
さらに、リコーダーを演奏する際は、リコーダーを縦に構え、上端の唄口３１を口にあて、息を吹き込んで演奏するが、演奏中は、中部管３３の表面に設けられた音孔３５ａから３５ｇは目視することができない。管楽器の音孔用補助パッド１００を使用すると、音孔の周辺は、管楽器の音孔用補助パッド１００のシリコン素材によって指の触覚で確認することができ、音孔の位置が把握しやすく、運指が容易に的確に行うことができる。
【００４１】
図１０（ａ）に示すように、管楽器の音孔用補助パッド１００の両端は、リコーダーの中部管３３の側面まで届いている。管楽器の音孔用補助パッド１００は、横長の楕円形状であるため中部管３３の外周に沿って、しっかりと貼りつけることができる。また、管楽器の音孔用補助パッドはシリコン素材で底面が鏡面加工されているので、図１０（ｂ）に示すように、ツルツルした中部管３３の表面に吸い付くように貼りついて位置ずれすることがなく、リコーダーの演奏中、指を押さえたり離したりする動作を繰り返しても、管楽器の音孔用補助パッド１００が剥がれることがなく、安定した音程と良い音質を得ることができる。
【００４２】
（実施の形態２）
次に、図１１から図１６を示しながら、実施の形態２の管楽器の音孔用補助パッド２００について説明する。
【００４３】
図１１は、この発明の実施形態２にかかる管楽器の音孔用補助パッド２００の斜視図である。図１２は、図１１に示した管楽器の音孔用補助パッド２００の平面図である。図１３は、図１２に示した管楽器の音孔用補助パッド２００のＤ−Ｄ断面図である。図１４は、図１２に示した管楽器の音孔用補助パッド２００のＥ−Ｅ断面図である。図１５は、図１２に示した管楽器の音孔用補助パッド２００のＦ−Ｆ断面図である。図１６は、図１２に示した管楽器の音孔用補助パッド２００のＧ−Ｇ断面図である。
【００４４】
実施の形態２の管楽器の音孔用補助パッド２００は、リコーダーの音孔のうち、最下部の音孔及び下から二番目の位置にある音孔、すなわち、ダブルホールの音孔に使用するためのものである。
【００４５】
図１１に示すように、この管楽器の音孔用補助パッド２００は、楕円形のシートからなるシリコンパッド２と、シリコンパッド２の中央に設けられた孔である２つの開口１を主に有する。シリコンパッド２はシリコン素材からなる。開口１の直径は、管楽器の最下部の音孔と下から二番目の位置にあるダブルホールの音孔の直径と略同じである。
【００４６】
図１２に示すように、シリコンパッド２の形状は横長の楕円形形状であって、長手方向の直径は、開口１の直径よりも長くなっている。シリコンパッド２の長手方向は、管楽器の外周に沿って貼付されるので、長手方向の長さが短すぎると、シリコンパッド２が管楽器から剥がれやすくなる。シリコンパッド２の長手方向の長さは、開口１の直径の２倍から６倍の長さが適しており、約４倍から５倍程度の長さが最も適している。
【００４７】
図１３に示すように、管楽器の音孔用補助パッド２００は、中央部分が薄く、円形状に凹んでおりパッド中央部凹み２５となっている。リコーダーの最下部の音孔３５ｇと下から二番目の位置にある音孔３５ｆは、中部管３３に円形のくぼみを設け、その中に２つの孔を設けたダブルホール式となっている。中央部分に厚みのあるパッド中央部凹み２５が設けられていることによって、演奏の際、管楽器の音孔用補助パッド２００の上から指を押圧すると、薄く伸縮性のあるパッド中央部凹み２５が伸びて、音孔３５ｇ及び３５fの円形のくぼみにフィットする構造となっている。
【００４８】
管楽器の音孔用補助パッド２００は、薄いシート状のシリコン素材からなる。管楽器の音孔用補助パッド２００の外側の厚みは、０．５ミリメートルから５ミリメートルの間が良く、最適な厚みは１ミリメートルから３ミリメートルである。薄すぎると、破れやすかったり、指で音孔を押さえる際に、指と音孔の間に空気漏れが生じたりして、十分な使用効果を発揮できないが、厚すぎても、演奏中に違和感を生じ、音程に影響が出るので、指の細さや力の弱さをサポートし得る、程よい厚みのものを、個々の好みと合わせて選択すると良い。音孔用補助パッド２００の中央部分、パッド中央部凹み２５は、外側より薄くなっている。パッド中央部凹み２５の中央付近の厚みは、管楽器の音孔用補助パッド２００の上縁または下縁の６分の１から３分の２程度の厚みが良く、２分の１から３分の１前後の厚みが最適である。
【００４９】
図１４に示すように、管楽器の音孔用補助パッド２００の中央にあるパッド中央部凹み２５は、その上表面がドーム形状を逆にしたような形状に凹みが形成されており、外側に比して薄い構造となっている。そして、そのパッド中央部凹み２５の中には、開口１が２つ設けられている。開口１の２つの孔は、管楽器のダブルホールのそれぞれの音孔の直径と略同じ直径の孔となっている。また、管楽器の音孔用補助パッド２００は、左右方向、すなわち、音孔に貼ったときリコーダー筒の外周方向が垂直方向に比して長くなっている。外周方向に長いのは、中部管３３に貼りつけたときに、中部管３３の円形の外周にフィットさせ貼りつきやすくするためであり、しっかり貼りつくことで指等にひっかかって、端から剥がれてくるのを予防するためである。
【００５０】
図１５に示すように、管楽器の音孔用補助パッド２００は、側面視、薄いシート形状で、上端と下端は厚く、中心部分は薄くなっている。管楽器の音孔用補助パッド２００は、横長の楕円形状である。上下に隣接する音孔に貼る管楽器の音孔用補助パッド２００と互いに干渉しあわないよう、縦方向は短くなっている。
【００５１】
図１６に示すように、管楽器の音孔用補助パッド２００の中央には、管楽器の最下部の音孔及び下から二番目の一にある音孔の、それぞれのダブルホールの孔の直径と略同じ直径の孔である開口１が設けられている。実施例２の管楽器の音孔用補助パッド２００では、パッドの上端とパッドの下端が厚く、中央は薄くなっている。また、管楽器の音孔用補助パッド２００の表面は、シボ面となっている。管楽器の音孔用補助パッド２００をリコーダーに貼付して演奏する際、指で押さえたり離したりという動作を繰り返すことになるが、管楽器の音孔用補助パッド２００の表面がシボ加工されていることで、指の汗や皮脂で指がすべることを予防できる。また、管楽器の音孔用補助パッド２００は、薄いシート形状のシリコン素材であるが、上面がシボ加工されていることで、製造の際、型から外しやすいというメリットもある。
【００５２】
管楽器の音孔用補助パッド２００の裏面は、管楽器の滑らかな表面にぴったり貼りつくよう、鏡面加工され滑らかになっている。管楽器の音孔用補助パッド２００は、粘着剤やテープ等を使用することなく、指で押圧するだけで中部管３３にしっかりと貼りつけることができ、繰り返し使えて、経済的である。また、粘着剤やテープが中部管３３に残ることがないので楽器を傷つけることもない。
【００５３】
次に、図１７から図１９を示しながら、実施の形態２の管楽器の音孔用補助パッド２００の使用方法について説明する。図１７は、管楽器の音孔用補助パッド１００及び２００をリコーダーに装着した状態を示す参考図である。図１８は、管楽器の音孔用補助パッド１００及び２００をリコーダーに装着した状態を示す参考図である。図１９は、図１８に示した参考図のＨ部拡大図であり、（ｂ）は、参考断面図、（ｃ）は、音孔を指で押さえた状態での参考断面図である。
【００５４】
リコーダーは、リードを使用せずに音を鳴らす無簧式（ノンリード）の縦笛式の管楽器であり、最上部に唄口３１、その下部に頭部管３２、中部管３３及び足部管３４が設けられている。中空の管体である中部管３３には、長手方向に、略一直線上に複数孔が設けられ、音孔３５ａ〜３５ｇとなっている。音孔３５ａから３５ｇは、中部管３３の表面から内外に亘って貫通した孔である。最下部の音孔３５ｇ及び下から二番目の位置にある音孔３５ｆは、中部管３３の表面に逆ドーム形状の窪みを形成し、窪みの中に２つの孔が設けられたダブルホールの形態となっている。
【００５５】
リコーダーは、音孔３５ａから３５ｇを指で塞ぐことによって音を出すが、正確な音程で綺麗な音を出すには、音孔にしっかりと指を密着させ音孔と指との間に隙間ができないようにすることが必要である。そして、リコーダー演奏において、一番難しいのは、最下部の音孔である３５ｇと下から二番目の音孔である３５ｆを指で塞いで音を出す動作である。リコーダーの下部は、演奏中は目視できず、また、最下部の音孔３５ｇと下から二番目の位置にある音孔３５ｆは、小指と薬指という、他の指に比べて細く、力も入れにくい指を使う必要があるためである。
【００５６】
そこで、本発明の管楽器の音孔用補助パッド２００は、リコーダーの最下部の音孔である３５ｇ、下から二番目の位置にある音孔である３５ｆに貼付して使用することにより、リコーダーの演奏の中で一番難しいリコーダー最下部と下から二番目の位置にあるダブルホールの音孔を指で塞ぐ動作を、楽に、容易に行うことができるようにするためのものである。この管楽器の音孔用補助パッド２００を使用することによって、小指や薬指のような細く弱い指でも、確実に、空気漏れなく音孔を塞ぐことができ、容易に、安定した音程と音質を得ることができる。
【００５７】
管楽器の音孔用補助パッド２００の使用方法について、まず最初に、リコーダーの中部管３３に設けられた音孔３５f及び３５ｇに、それぞれサイズのあった管楽器の音孔用補助パッド２００を、枚数分、準備する。サイズのあわせかたについて、音孔の直径と略同じ直径の開口１が設けられている管楽器の音孔用補助パッド２００を選ぶと良い。音孔の大きさは、楽器によって、すこしずつ違うので、管楽器の音孔用補助パッド２００は、様々なサイズのものを用意しておき、適時、サイズのあったものを選択し使用するようにすると良い。
【００５８】
それから、図１７に示すように、音孔の直径と略同じ直径の開口１を備えた管楽器の音孔用補助パッド２００を、音孔と開口１の位置があうようにして中部管３３に貼り付ける。管楽器の音孔用補助パッド２００の両端は、中部管３３の側面まで達するので、管楽器の音孔用補助パッド２００を、しっかりと中部管３３の外周に沿って貼りつけるように、指で上から押さえて、しっかりと中部管３３に密着させる。音孔３５ｆ及び３５ｇは、丸い窪みが設けられ、その中ダブルホールの音孔が設けられた構造であるので、くぼみの部分は、管楽器の音孔用補助パッドは密着させず、すこし浮いた状態で、くぼみの周囲の部分にしっかり管楽器の音孔用補助パッド２００を貼り付けて固定していくと良い。管楽器の音孔用補助パッド２００はシリコン素材で、裏面が滑らかな鏡面加工となっているので、中部管３３の滑らかな表面に載置し上から指で圧着することによって、ぴったりと貼りつけ固定することができる。
【００５９】
図１８に示すように、音孔３５ａから３５ｅまで、それぞれ、管楽器の音孔用補助パッド２００を貼り付けたら、あとは、リコーダーを通通りの持ち方で支え、演奏する。指で管楽器の音孔用補助パッド２００の上から音孔を塞ぐように押圧すると、弾力性のあるシリコン素材からなる管楽器の音孔用補助パッド２００のパッド中央部凹み２５が、押圧によって下にある音孔３５ｆまたは３５ｇの円形のくぼみにフィットし、柔らかく潰れるように変形し指と音孔に密着し、指と音孔との間隙の隙間を塞いで空気の漏れを防ぐので、リコーダーから、安定した音程と音質を得ることができる。
【００６０】
リコーダーを演奏する際、管楽器の音孔用補助パッド２００を貼り付けない状態で指を音孔に押圧する動作を行うと、空気漏れを生じないよう、しっかりと音孔を塞がなければならず、強く指を押し付ける必要がある。中部管３３は、硬質の素材からなるため、長時間、指を強く音孔に押し付ける動作を繰り返していると指が痛くなるため、子供の場合、練習を嫌がるようになったり、リコーダーの演奏に対して苦手意識が生じてしまうことも多い。管楽器の音孔用補助パッド２００を使用して演奏するようにすれば、指が直接音孔に触れず、管楽器の音孔用補助パッドの柔らかいシリコン素材に触れることになるので、指が痛くなることがなく、練習に苦痛が伴うことがなく、また、容易に演奏を行うことができる。
【００６１】
さらに、リコーダーを演奏する際は、リコーダーを縦に構え、上端の唄口３１を口にあて、息を吹き込んで演奏するため、演奏中は、中部管３３の下部に設けられた音孔３５ｆ及び３５ｇは目視することができない。管楽器の音孔用補助パッド２００を使用すると、音孔の周辺は、管楽器の音孔用補助パッド２００のシリコン素材によって指の触覚で確認することができ、音孔の位置が把握しやすく、運指が容易に的確に行うことができる。
【００６２】
図１９（ａ）に示すように、管楽器の音孔用補助パッド２００の両端は、リコーダーの中部管３３の側面まで届いている。管楽器の音孔用補助パッド２００は、横長の楕円形状であるため中部管３３の外周に沿って、しっかりと貼りつけることができる。また、管楽器の音孔用補助パッドはシリコン素材で裏面が鏡面加工されているので、ツルツルした中部管３３の表面に吸い付くように貼りついて位置ずれすることがなく、リコーダーの演奏中、指を押さえたり離したりする動作を繰り返しても、管楽器の音孔用補助パッド１００が剥がれることがなく、安定した音程と良い音質を得ることができる。管楽器の音孔用補助パッド２００は、音孔３５ｆまたは３５ｇに貼り付けた状態で、図１９（ｂ）のように、音孔周辺の窪み部分から浮いた状態となってるが、図１９（ｃ）のように、管楽器の音孔用補助パッド２００の上から指で押圧すると、指に押されて、管楽器の音孔用補助パッド２００が沈み込み、指と音孔との間につぶされ隙間なく広がるので、空気漏れを生じず、安定した音程と、綺麗な音質を得ることができる。
【００６３】
（実施の形態３）
次に、図２０から図２６を示しながら、実施の形態３の管楽器の音孔用補助パッド３００について説明する。
【００６４】
図２０は、この発明の実施形態３にかかる管楽器の音孔用補助パッド３００の斜視図である。図２１は、図２０に示した管楽器の音孔用補助パッド３００の平面図である。図２２は、図２０に示した管楽器の音孔用補助パッド３００の正面図である。図２３は、図２１に示した管楽器の音孔用補助パッド３００のＪ−Ｊ断面図である。図２４は、図２１に示した管楽器の音孔用補助パッド３００の右側面図である。図２５は、図２１に示した管楽器の音孔用補助パッド３００のＫ−Ｋ断面図である。図２６は、図２１に示した管楽器の音孔用補助パッド３００の底面図である。
【００６５】
図２０に示すように、この管楽器の音孔用補助パッド３００は、楕円形のシートからなるシリコンパッド２と、シリコンパッド２の中央に設けられた孔である開口１を主に有する。開口１の直径は、管楽器の音孔の直径と略同じである。実施の形態３では、開口１の円周の外縁に沿ってリング形状の盛り上がりが設けられ、開口縁１１となっている。
【００６６】
図２１に示すように、シリコンパッド２の形状は横長の楕円形形状であって、長手方向の直径は、開口１の直径よりも長くなっている。リコンパッド２の長手方向は、管楽器の外周に沿って貼付されるので、長手方向の長さが短すぎると、シリコンパッド２が管楽器から剥がれやすくなる。シリコンパッド２の長手方向の長さは、開口１の直径の２倍から６倍の長さが適しており、約４倍から５倍程度の長さが最も適している。
【００６７】
図２２に示すように、管楽器の音孔用補助パッド３００は、薄いシート状のシリコン素材からなる。管楽器の音孔用補助パッド３００の厚みは、０．５ミリメートルから５ミリメートルの間が良く、最適な厚みは１ミリメートルから３ミリメートルである。
【００６８】
図２３に示すように、管楽器の音孔用補助パッド３００の中央には、管楽器の音孔の直径と略同じ直径の孔である開口１が設けられている。開口１の縁は盛り上がって開口縁１１を形成しているが、開口縁１１の部分の厚みは、他の部分の厚みの２倍から４倍の間である。開口縁１１の高さは、高いほうが指で押さえやすいが、高すぎると、指で音孔を押さえる際に、指と音孔の間に空気漏れが生じたりすることもあるので、指の細さや力の弱さをサポートし得る、程よい厚みのものを、個々の好みと合わせて選択すると良い。
【００６９】
図２４に示すように、管楽器の音孔用補助パッド３００は、側面視、薄いシート形状となっており、厚みは上端から下端まで、略均一の厚みであるが、開口縁１１の部分だけ盛り上がって凸部を形成している。管楽器の音孔用補助パッド３００は、横長の楕円形状である。上下に隣接する音孔に貼る管楽器の音孔用補助パッド３００と互いに干渉しあわないよう、縦方向は短くなっている。
【００７０】
図２５に示すように、管楽器の音孔用補助パッド３００の中央には、管楽器の音孔と略同じ直径の孔である開口１が設けられている。実施例１の管楽器の音孔用補助パッド３００では、パッドの上端及びパッドの下端は同じ厚みとなっているが開口１の縁である開口縁１１の部分は開口１の外周に沿って盛り上がっており厚くなっている。また、管楽器の音孔用補助パッド３００の上面は、シボ面となっている。管楽器の音孔用補助パッド３００をリコーダーに貼付して演奏する際、指で押さえたり離したりという動作を繰り返すことになるが、管楽器の音孔用補助パッド３００の上面がシボ加工されていることで、指の汗や皮脂で指がすべることを予防できる。また、管楽器の音孔用補助パッド３００は、薄いシート形状のシリコン素材であるが、上面がシボ加工されていることで、製造の際、型から外しやすいというメリットもある。
【００７１】
図２６に示すように、管楽器の音孔用補助パッド３００の底面は、管楽器の滑らかな表面にぴったり貼りつくよう、シリコンパッド２の底面は鏡面加工され滑らかになっている。管楽器の音孔用補助パッド３００は、粘着剤やテープ等を使用することなく、指で押圧するだけで中部管３３にしっかりと貼りつけることができ、繰り返し使えて、経済的である。また、粘着剤やテープが中部管３３に残ることがないので楽器を傷つけることもない。
【００７２】
次に、図２７から図２９を示しながら、実施の形態３の管楽器の音孔用補助パッド３００の使用方法について説明する。図２７は、管楽器の音孔用補助パッド３００をリコーダーに装着した状態を示す参考図である。図２８は、管楽器の音孔用補助パッド３００をリコーダーに装着した状態を示す参考図である。図２９（ａ）は、図２８に示した参考図のＬ部拡大図であり、図２９（ｂ）は参考断面図である。
【００７３】
管楽器の音孔用補助パッド３００の使用方法について、まず最初に、リコーダーの中部管３３に設けられた音孔３５ａから３５ｅに、それぞれサイズのあった管楽器の音孔用補助パッド３００を、音孔の数と同じ枚数分、準備する。サイズのあわせかたについて、音孔の直径と略同じ直径の開口１が設けられている管楽器の音孔用補助パッド３００を選ぶと良い。音孔の大きさは、楽器によって、また、音孔の位置によって、すこしずつ違うので、管楽器の音孔用補助パッド３００は、様々なサイズのものを用意しておき、適時、サイズのあったものを選択し使用するようにすると良い。
【００７４】
それから、図２７に示すように、音孔の直径と略同じ直径の開口１を備えた管楽器の音孔用補助パッド３００を、音孔と開口１がぴったりとあわさるようにして中部管３３に貼り付ける。管楽器の音孔用補助パッド３００の両端は、中部管３３の側面まで達するので、管楽器の音孔用補助パッド３００を、しっかりと中部管３３の外周に沿って貼りつけるように、指で上から押さえて、しっかりと中部管３３に密着させる。管楽器の音孔用補助パッド３００はシリコン素材で、底面が滑らかな鏡面加工となっているので、中部管３３の滑らかな表面に載置し上から指で圧着することによって、ぴったりと貼りつけ固定することができる。
【００７５】
図２８に示すように、音孔３５ａから３５ｅまで、それぞれ、管楽器の音孔用補助パッド３００を貼り付けたら、あとは、リコーダーを通常どおりの持ち方で支え、演奏する。指で管楽器の音孔用補助パッド３００の上から音孔を塞ぐように押圧すると、弾力性のあるシリコン素材からなる管楽器の音孔用補助パッド３００は、押圧によって、柔らかく潰れるように変形し、指と音孔との間隙の隙間を塞いで空気の漏れを防ぐので、リコーダーから、安定した音程と音質を得ることができる。
【００７６】
また、リコーダーを演奏する際、管楽器の音孔用補助パッド３００を貼り付けない状態で指を音孔に押圧する動作を行うと、空気漏れを生じないよう、しっかりと音孔を塞がなければならず、強く指を押し付ける必要がある。中部管３３は、硬質の素材からなるため、長時間、指を強く音孔に押し付ける動作を繰り返していると指が痛くなるため、子供の場合、練習を嫌がるようになったり、リコーダーの演奏に対して苦手意識が生じてしまうことも多い。管楽器の音孔用補助パッド３００を使用して演奏するようにすれば、指が直接音孔に触れず、管楽器の音孔用補助パッドの柔らかいシリコン素材に触れることになるので、指が痛くなることがなく、練習に苦痛が伴うことがなく、また、容易に演奏を行うことができる。
【００７７】
さらに、リコーダーを演奏する際は、リコーダーを縦に構え、上端の唄口３１を口にあて、息を吹き込んで演奏するため、演奏中は、中部管３３の表面に設けられた音孔３５ａから３５ｇは目視することができないが、管楽器の音孔用補助パッド３００を使用すると、音孔の周辺は、管楽器の音孔用補助パッド３００のシリコン素材によって指の触覚で確認することができ、音孔の位置が把握しやすく、運指が容易に的確に行うことができる。
【００７８】
図２９（ａ）に示すように、管楽器の音孔用補助パッド３００の両端は、リコーダーの中部管３３の側面まで届いている。管楽器の音孔用補助パッド３００は、横長の楕円形状であるため中部管３３の外周に沿って、しっかりと貼りつけることができる。また、管楽器の音孔用補助パッドはシリコン素材で底面が鏡面加工されているので、図２９（ｂ）に示すように、ツルツルした中部管３３の表面に吸い付くように貼りついて位置ずれすることがなく、リコーダーの演奏中、指を押さえたり離したりする動作を繰り返しても、管楽器の音孔用補助パッド３００が剥がれることがなく、安定した音程と良い音質を得ることができる。
【００７９】
（実施の形態４）
次に、図３０から図３６を示しながら、実施の形態４の管楽器の音孔用補助パッド４００について説明する。
【００８０】
図３０は、この発明の実施形態４にかかる管楽器の音孔用補助パッド４００の斜視図である。図３１は、図３０に示した管楽器の音孔用補助パッド４００の平面図である。図３２は、図３１に示した管楽器の音孔用補助パッド４００のＭ−Ｍ断面図である。図３３は、図３１に示した管楽器の音孔用補助パッド４００のＮ−Ｎ断面図である。図３４は、図３１に示した管楽器の音孔用補助パッド４００のＯ−Ｏ断面図である。図３５は、図３１に示した管楽器の音孔用補助パッド４００のＰ−Ｐ断面図である。図３６は、図３１に示した管楽器の音孔用補助パッド４００の底面図である。
【００８１】
実施の形態４の管楽器の音孔用補助パッド４００は、リコーダーの音孔のうち、最下部の音孔及び下から二番目の位置にある音孔、すなわち、ダブルホールの音孔に使用するためのものである。
【００８２】
図３０に示すように、この管楽器の音孔用補助パッド４００は、楕円形のシートからなるシリコンパッド２と、シリコンパッド２の中央に設けられた２つの孔、開口１を主に有する。シリコンパッド２はシリコン素材からなる。開口１の直径は、管楽器の最下部の音孔と下から二番目の位置にあるダブルホールの音孔の直径と略同じである。
【００８３】
図３１に示すように、シリコンパッド２の形状は横長の楕円形形状であって、長手方向の直径は、開口１の直径よりも長くなっている。リコンパッド２の長手方向は、管楽器の外周に沿って貼付されるので、長手方向の長さが短すぎると、シリコンパッド２が管楽器から剥がれやすくなる。シリコンパッド２の長手方向の長さは、開口１の直径の２倍から６倍の長さが適しており、約４倍から５倍程度の長さが最も適している。
【００８４】
図３２に示すように、管楽器の音孔用補助パッド４００は、中央部分に円形の窪みであるパッド中央部凹み２５が設けられ、その窪みの底に開口１がダブルホールで設けられている。リコーダーの最下部の音孔３５ｇと下から二番目の位置にある音孔３５ｆは、中部管３３に円形のくぼみを設け、その中に２つの孔を設けたダブルホール式となっているため、凹んだパッド中央部凹み２５が設けられていることによって、音孔３５ｇ及び３５fの円形のくぼみにフィットする構造となっている。
【００８５】
実施の形態４の管楽器の音孔用補助パッド４００の特徴は、底面にある。図３２に示すように、管楽器の音孔用補助パッド４００の底面であって開口１の縁は、開口１の外周に沿ってリング状の盛り上がりである凸部２６が底面側に設けられている。管楽器の音孔用補助パッドは、音孔３５ｆ及び３５ｇの円形に凹んだくぼみの底部から多少浮いた状態となっているが、底面側にある凸部２６が設けられていることによって、指で、管楽器の音孔用補助パッド４００の上から音孔を押さえた際に、この凸部２６が沈み込んで、音孔３５ｆ及び３５ｇの縁に触れるように密着し、空気漏れを防ぎ、安定した音程と綺麗な音質を得ることができる。
【００８６】
図３３に示すように、管楽器の音孔用補助パッド２００の中央には、ドーム形状を逆にしたような円形のくぼみが設けられパッド中央部凹み２５となっており、そのパッド中央部凹み２５の中に、開口１が２つ設けられている。開口１の２つの孔は、管楽器のダブルホールのそれぞれの音孔の直径と略同じ直径の孔となっている。また、管楽器の音孔用補助パッド２００は、両端にいくほど薄くなっており、開口１の周辺は、両端に比べて厚くなっている。両端にいくほど薄くなっているのは、中部管３３に貼りつけたときに、中部管３３の円形の外周にフィットして貼りつきやすくするためであり、指等にひっかかって、端から剥がれてくるのを予防するためでもある。
【００８７】
図３４に示すように、管楽器の音孔用補助パッド４００は、側面視、薄いシート形状となっており、厚みは上端から下端まで、略均一の厚みであるが、開口１の縁は盛り上がっており凸部２６となっている。管楽器の音孔用補助パッド４００は、横長の楕円形状である。上下に隣接する音孔に貼る管楽器の音孔用補助パッド４００と互いに干渉しあわないよう、縦方向は短くなっている。
【００８８】
図３５に示すように、管楽器の音孔用補助パッド４００の中央には、管楽器の最下部の音孔及び下から二番目の一にある音孔の、それぞれのダブルホールの孔の直径と略同じ直径の孔である開口１が設けられている。開口１の縁であって底面側には、凸部２６が設けられている。実施例４の管楽器の音孔用補助パッド４００では、パッドの上端及びパッドの下端同じ厚みとなっているが、開口１の縁には凸部２６が設けられ、この部分は上端や下端に比して厚くなっている。また、管楽器の音孔用補助パッド４００の上面は、シボ面となっている。管楽器の音孔用補助パッド４００をリコーダーに貼付して演奏する際、指で押さえたり離したりという動作を繰り返すことになるが、管楽器の音孔用補助パッド４００の上面がシボ加工されていることで、指の汗や皮脂で指がすべることを予防できる。また、管楽器の音孔用補助パッド４００は、薄いシート形状のシリコン素材であるが、上面がシボ加工されていることで、製造の際、型から外しやすいというメリットもある。
【００８９】
管楽器の音孔用補助パッド４００の底面は、管楽器の滑らかな表面にぴったり貼りつくよう、シリコンパッド２の底面は鏡面加工され滑らかになっている。管楽器の音孔用補助パッド４００は、粘着剤やテープ等を使用することなく、指で押圧するだけで中部管３３にしっかりと貼りつけることができ、繰り返し使えて、経済的である。また、粘着剤やテープが中部管３３に残ることがないので楽器を傷つけることもない。
【００９０】
次に、図３７から図３９を示しながら、実施の形態４の管楽器の音孔用補助パッド４００の使用方法について説明する。図３７は、管楽器の音孔用補助パッド３００及び４００をリコーダーに装着した状態を示す参考図である。図３８は、管楽器の音孔用補助パッド３００及び４００をリコーダーに装着した状態を示す参考図である。図３９（ａ）は図３８に示した参考図のＱ部拡大図であり、図３９（ｂ）は、参考断面図、（ｃ）は、音孔を指で押さえた状態での参考断面図である。
【００９１】
管楽器の音孔用補助パッド４００の使用方法について、まず最初に、リコーダーの中部管３３に設けられた音孔３５f及び３５ｇに、それぞれサイズのあった管楽器の音孔用補助パッド４００を、枚数分、準備する。サイズのあわせかたについて、音孔の直径と略同じ直径の開口１が設けられている管楽器の音孔用補助パッド４００を選ぶと良い。音孔の大きさは、楽器によって、すこしずつ違うので、管楽器の音孔用補助パッド４００は、様々なサイズのものを用意しておき、適時、サイズのあったものを選択し使用するようにすると良い。
【００９２】
それから、図３７に示すように、音孔の直径と略同じ直径の開口１を備えた管楽器の音孔用補助パッド４００を、音孔と開口１の位置があうようにして中部管３３に貼り付ける。管楽器の音孔用補助パッド４００の両端は、中部管３３の側面まで達するので、管楽器の音孔用補助パッド４００を、しっかりと中部管３３の外周に沿って貼りつけるように、指で上から押さえて、しっかりと中部管３３に密着させる。音孔３５ｆ及び３５ｇは、丸い窪みが設けられ、その中ダブルホールの音孔が設けられた構造であるので、くぼみの部分は、管楽器の音孔用補助パッドは密着させず、すこし浮いた状態で、くぼみの周囲の部分にしっかり管楽器の音孔用補助パッド４００を貼り付けて固定していくと良い。管楽器の音孔用補助パッド４００はシリコン素材で、底面が滑らかな鏡面加工となっているので、中部管３３の滑らかな表面に載置し上から指で圧着することによって、ぴったりと貼りつけ固定することができる。
【００９３】
図３８に示すように、音孔３５ａから３５ｅまで、それぞれ、管楽器の音孔用補助パッド４００を貼り付けたら、あとは、リコーダーを通常どおりの持ち方で支え、演奏する。指で管楽器の音孔用補助パッド４００の上から音孔を塞ぐように押圧すると、弾力性のあるシリコン素材からなる管楽器の音孔用補助パッド４００のパッド中央部凹み２５が、押圧によって下にある音孔３５ｆまたは３５ｇの円形のくぼみにフィットし、柔らかく潰れるように変形し指と音孔に密着し、指と音孔との間隙の隙間を塞いで空気の漏れを防ぐので、リコーダーから、安定した音程と音質を得ることができる。
【００９４】
リコーダーを演奏する際、管楽器の音孔用補助パッド４００を貼り付けない状態で指を音孔に押圧する動作を行うと、空気漏れを生じないよう、しっかりと音孔を塞がなければならず、強く指を押し付ける必要がある。中部管３３は、硬質の素材からなるため、長時間、指を強く音孔に押し付ける動作を繰り返していると指が痛くなるため、子供の場合、練習を嫌がるようになったり、リコーダーの演奏に対して苦手意識が生じてしまうことも多い。管楽器の音孔用補助パッド４００を使用して演奏するようにすれば、指が直接音孔に触れず、管楽器の音孔用補助パッドの柔らかいシリコン素材に触れることになるので、指が痛くなることがなく、練習に苦痛が伴うことがなく、また、容易に演奏を行うことができる。
【００９５】
さらに、リコーダーを演奏する際は、リコーダーを縦に構え、上端の唄口３１を口にあて、息を吹き込んで演奏するため、演奏中は、中部管３３の下部に設けられた音孔３５ｆ及び３５ｇは目視することができない。管楽器の音孔用補助パッド２００を使用すると、音孔の周辺は、管楽器の音孔用補助パッド４００のシリコン素材によって指の触覚で確認することができ、音孔の位置が把握しやすく、運指が容易に的確に行うことができる。
【００９６】
図３９（ａ）に示すように、管楽器の音孔用補助パッド４００の両端は、リコーダーの中部管３３の側面まで届いている。管楽器の音孔用補助パッド４００は、横長の楕円形状であるため中部管３３の外周に沿って、しっかりと貼りつけることができる。また、管楽器の音孔用補助パッドはシリコン素材で底面が鏡面加工されているので、ツルツルした中部管３３の表面に吸い付くように貼りついて位置ずれすることがなく、リコーダーの演奏中、指を押さえたり離したりする動作を繰り返しても、管楽器の音孔用補助パッド４００が剥がれることがなく、安定した音程と良い音質を得ることができる。管楽器の音孔用補助パッド２００は、音孔３５ｆまたは３５ｇに貼り付けた状態で、図３９（ｂ）のように、音孔周辺の窪み部分から浮いた状態となってるが、図３９（ｃ）のように、管楽器の音孔用補助パッド２００の上から指で押圧すると、指に押されて、管楽器の音孔用補助パッド４００が沈み込み、底面側にある凸部２６が指と音孔との間につぶされ隙間なく広がるので、空気漏れを生じず、安定した音程と、綺麗な音質を得ることができる。
【００９７】
(実施の形態５)
次に、図４０から図４２を示しながら、実施の形態５の管楽器の音孔用補助パッド５００について説明する。
【００９８】
図４０は、この発明の実施形態５にかかる管楽器の音孔用補助パッド５００の斜視図である。図４１は、図４０に示した管楽器の音孔用補助パッド５００の正面図である。図４２は、図４０に示した管楽器の音孔用補助パッド５００の平面図である。
【００９９】
図４０に示すように、この管楽器の音孔用補助パッド５００は、楕円形のシートからなるシリコンパッド２と、シリコンパッド２の中央に設けられた孔である開口１を主に有する。実施の形態５では、開口１の円周の外縁の一部である右側開口縁１１ａのみ盛り上がりが設けられており、対応する左側開口縁１１は、平らで盛り上がりがない構成となっている。
【０１００】
図４１に示すように、管楽器の音孔用補助パッド５００は、薄いシート状のシリコン素材からなる。管楽器の音孔用補助パッド５００の厚みは、０．５ミリメートルから５ミリメートルの間が良く、最適な厚みは１ミリメートルから３ミリメートルである。また、シリコンパッド２の中央に設けられた開口１の縁は、片側のみ盛り上がって高くなっている。右側開口縁１１ａの高さは、シリコンパッド２の高さの約２倍から４倍が良い。指の細い人用には、右側開口縁１１ａの高さの高いもの、指の太さが比較的太い人または演奏に慣れてきた人が使用するものは右側開口縁１１ａが低いものを用いると良い。
【０１０１】
図４２に示すように、管楽器の音孔用補助パッド５００の中央には、管楽器の音孔の直径と略同じ直径の孔である開口１が設けられており、開口１の片側の縁のみ盛り上がって右側開口縁１１ａを形成している。右側開口縁１１ａの高さは、高いほうが指で押さえやすいが、高すぎると、指で音孔を押さえる際に、指と音孔の間に空気漏れが生じたりすることもあるので、指の細さや力の弱さをサポートし得る、程よい厚みのものを、個々の好みと合わせて選択すると良い。
【０１０２】
管楽器の音孔用補助パッド５００の使用方法について、図４３に示すように、音孔の直径と略同じ直径の開口１を備えた管楽器の音孔用補助パッド５００を、音孔と開口１がぴったりとあわさるようにして中部管３３に貼り付ける。その際に、右手の指で押さえる音孔には、向かって右側に右側開口縁１１ａが来るような角度で貼っていき、左手の指で押さえる音孔には、向かって左側に右側開口縁１１ａがくるような角度に方向を定めて貼り付けていくとよい。つまり、指の先端にあたる側に、盛り上がった凸部である右側開口縁１１ａがくるように貼っていく。開口縁の一部が盛り上がった右側開口縁１１ａが設けられている理由は、音孔を押さえる際に、指の先端が、どうしても音孔から浮いて隙間が生じやすくなるので、その隙間を盛り上がった凸部である右側開口縁１１ａが埋めるようにするためである。
【０１０３】
図４４に示すように、指の先端側に右側開口縁１１ａがくるようにしてリコーダーを演奏すると、指の先端側が、力が足りず音孔から少し浮いてしまいそうなときでも、右側開口縁１１ａが音孔と指との間の隙間をなくし、空気漏れを防ぐので、安定した音程と、綺麗な音質を得ることができる。
【０１０４】
本実施の形態では、管楽器の音孔用補助パッドは、１つの音孔につき、１つの管楽器の音孔用補助パッドを貼る形態としたが、管楽器の音孔用補助パッドに、複数の開口１を設けて、複数の音孔に対して1枚の管楽器の音孔用補助パッドを貼り付ける形態としても良い。また、１本のリコーダーのすべての音孔に貼れるよう、複数の管楽器の音孔用補助パッドを１つのセットとして販売しても良いし、１枚ずつのバラ売りとして、弱い指、苦手な運指にのみ管楽器の音孔用補助パッドを使用するようにしても良い。
【符号の説明】
【０１０５】
１００，２００，３００，４００，５００    管楽器の音孔用補助パッド
１  開口
１１    開口縁
１１ａ  右側開口縁
１１ｂ  左側開口縁
１２    小開口
２  シリコンパッド
２１    パッド右端
２２    パッド左端
２３    パッド上端
２４    パッド下端
２５    パッド中心部凹み
２６    凸部
３    リコーダー
３１    唄口
３２    頭部管
３３    中部管
３４    足部管
３５ａ  音孔１
３５ｂ  音孔２
３５ｃ  音孔３
３５ｄ  音孔４
３５ｅ  音孔５
３５ｆ  音孔６
３５ｇ  音孔７
ｆ  指
【図１】
2016224079.tif 000003
【図２】
2016224079.tif 000004
【図３】
2016224079.tif 000005
【図４】
2016224079.tif 000006
【図５】
2016224079.tif 000007
【図６】
2016224079.tif 000008
【図７】
2016224079.tif 000009
【図８】
2016224079.tif 000010
【図９】
2016224079.tif 000011
【図１０】
2016224079.tif 000012
【図１１】
2016224079.tif 000013
【図１２】
2016224079.tif 000014
【図１３】
2016224079.tif 000015
【図１４】
2016224079.tif 000016
【図１５】
2016224079.tif 000017
【図１６】
2016224079.tif 000018
【図１７】
2016224079.tif 000019
【図１８】
2016224079.tif 000020
【図１９】
2016224079.tif 000021
【図２０】
2016224079.tif 000022
【図２１】
2016224079.tif 000023
【図２２】
2016224079.tif 000024
【図２３】
2016224079.tif 000025
【図２４】
2016224079.tif 000026
【図２５】
2016224079.tif 000027
【図２６】
2016224079.tif 000028
【図２７】
2016224079.tif 000029
【図２８】
2016224079.tif 000030
【図２９】
2016224079.tif 000031
【図３０】
2016224079.tif 000032
【図３１】
2016224079.tif 000033
【図３２】
2016224079.tif 000034
【図３３】
2016224079.tif 000035
【図３４】
2016224079.tif 000036
【図３５】
2016224079.tif 000037
【図３６】
2016224079.tif 000038
【図３７】
2016224079.tif 000039
【図３８】
2016224079.tif 000040
【図３９】
2016224079.tif 000041
【図４０】
2016224079.tif 000042
【図４１】
2016224079.tif 000043
【図４２】
2016224079.tif 000044
【図４３】
2016224079.tif 000045
【図４４】
2016224079.tif 000046
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
無簧式管楽器の音孔の上に貼り付けて使用する管楽器の音孔用補助パッドであって、シリコン素材からなり、裏面が鏡面加工され、少なくとも前記音孔を覆う大きさを有し、管楽器の音孔に貼り付けたときに管楽器の外周方向にあたる方向の寸法が、前記音孔用補助パッドを管楽器の音孔に貼り付けたときに管楽器の長手方向にあたる方向の寸法より長い横長の楕円形状であり、前記音孔と略同じ直径を有する開口を備えたことを特徴とする管楽器の音孔用補助パッド。
【請求項２】
前記音孔用補助パッドは、中央近傍に円形状の凹みが設けられ、前記円形状の凹みの中に前記開口が設けられていることを特徴とする請求項１に記載の管楽器の音孔用補助パッド。
【請求項３】
前記音孔用補助パッドの上面であって、前記開口の縁近傍は、少なくとも一部が盛り上がって凸部を形成していることを特徴とする請求項１又は請求項２に記載の管楽器の音孔用補助パッド。
【請求項４】
前記音孔用補助パッドの上面であって、前記開口の縁近傍は、前記開口の外周に沿って盛り上がっていることを特徴とする請求項１から請求項３いずれか１つに記載の管楽器の音孔用補助パッド。
【請求項５】
前記音孔用補助パッドの下面であって、前記開口の縁近傍は、少なくとも一部に凸部が設けられていることを特徴とする請求項１から請求項４いずれか１つに記載の管楽器の音孔用補助パッド。
【請求項６】
前記音孔用補助パッドは、開口が設けられた部分近傍が、前記音孔用補助パッドの外周縁よりも低く、中央が凹んだ形状であることを特徴とする請求項１から請求項５いずれか１つに記載の管楽器の音孔用補助パッド。
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
無簧式管楽器の音孔の上に貼り付けて使用する管楽器の音孔用補助パッドであって、シリコン素材からなり、裏面が鏡面加工され、少なくとも前記音孔を覆う大きさを有し、中央近傍に円形状の凹みが設けられ、前記円形状の凹みの中に前記開口が設けられ、管楽器の音孔に貼り付けたときに管楽器の外周方向にあたる方向の寸法が、前記音孔用補助パッドを管楽器の音孔に貼り付けたときに管楽器の長手方向にあたる方向の寸法より長い横長の楕円形状であり、前記音孔と略同じ直径を有する開口を備えたことを特徴とする管楽器の音孔用補助パッド。
【請求項２】
前記音孔用補助パッドの上面であって、前記開口の縁近傍は、少なくとも一部が盛り上がって凸部を形成していることを特徴とする請求項１に記載の管楽器の音孔用補助パッド。
【請求項３】
前記音孔用補助パッドの上面であって、前記開口の縁近傍は、前記開口の外周に沿って盛り上がっていることを特徴とする請求項１又は請求項２に記載の管楽器の音孔用補助パッド。
【請求項４】
前記音孔用補助パッドの下面であって、前記開口の縁近傍は、少なくとも一部に凸部が設けられていることを特徴とする請求項１から請求項３いずれか１つに記載の管楽器の音孔用補助パッド。
【請求項５】
前記音孔用補助パッドは、開口が設けられた部分近傍が、前記音孔用補助パッドの外周縁よりも低く、中央が凹んだ形状であることを特徴とする請求項１から請求項４いずれか１つに記載の管楽器の音孔用補助パッド。